(57)【要約】【課題】ＩＤＬＥ状態の端末が特定の基地局のエリアに進入した際に高速にその端末と基地局との接続を確立させること。【解決手段】基地局装置は、１つ以上の他の基地局装置を少なくとも指定する第１の情報であって、その第１の情報によって指定された他の基地局装置のうちの１つが供するエリアにＩＤＬＥ状態の端末装置が進入した際に、その１つの他の基地局装置に関する第２の情報を基地局装置に通知させる第１の情報を端末装置に送信し、第２の情報を端末装置から受信する。基地局装置は、端末装置から第２の情報を受信したことに少なくとも基づいて、第２の情報で通知された他の基地局装置をセカンダリ基地局として端末装置との接続を確立させるためのマスタ基地局としての制御を実行する。【選択図】図５
2019096998.tif 000002
【特許請求の範囲】
【請求項１】
基地局装置であって、
１つ以上の他の基地局装置を少なくとも指定する第１の情報であって、前記第１の情報によって指定された前記他の基地局装置のうちの１つの他の基地局装置が供するエリアにＩＤＬＥ状態の端末装置が進入した際に、当該１つの他の基地局装置に関する第２の情報を前記基地局装置に通知させる前記第１の情報を端末装置に送信し、前記第２の情報を前記端末装置から受信する通信手段と、
前記端末装置から前記第２の情報を受信したことに少なくとも基づいて、前記第２の情報で通知された他の基地局装置をセカンダリ基地局として前記端末装置との接続を確立させるためのマスタ基地局としての制御を実行する制御手段と、
を有することを特徴とする基地局装置。
【請求項２】
前記第１の情報は、前記端末装置がＩＤＬＥ状態で前記他の基地局装置が供するエリアに進入した際に、当該端末装置が前記第２の情報を送信するために実行すべき処理を指定する情報を含む、
ことを特徴とする請求項１に記載の基地局装置。
【請求項３】
前記第１の情報は、前記端末装置がＩＤＬＥ状態からＡＣＴＩＶＥ状態へ遷移する処理、または、前記端末装置が前記１つの他の基地局装置の識別情報を送信する処理を、前記実行すべき処理として指定する情報を含む、
ことを特徴とする請求項２に記載の基地局装置。
【請求項４】
前記通信手段は、前記第１の情報を、ブロードキャスト信号によって送信する、
ことを特徴とする請求項１から３のいずれか１項に記載の基地局装置。
【請求項５】
前記通信手段は、前記第１の情報を、個別の制御信号によって送信する、
ことを特徴とする請求項１から３のいずれか１項に記載の基地局装置。
【請求項６】
端末装置であって、
基地局装置から、１つ以上の他の基地局装置を少なくとも指定する第１の情報を受信する受信手段と、
前記第１の情報によって指定された前記他の基地局装置のうちの１つの他の基地局装置が供するエリアにＩＤＬＥ状態で進入した際に、当該１つの他の基地局装置に関する第２の情報を前記基地局装置に通知する通知手段と、
前記通知に応じた前記基地局装置のマスタ基地局としての制御により、前記第２の情報で通知した前記１つの他の基地局装置をセカンダリ基地局として、当該１つの他の基地局装置と接続する接続手段と、
を有することを特徴とする端末装置。
【請求項７】
前記第１の情報は、前記端末装置がＩＤＬＥ状態で前記他の基地局装置が供するエリアに進入した際に、当該端末装置が前記第２の情報を送信するために実行すべき処理を指定する情報を含み、
前記通知手段は、指定された前記処理を実行して前記第２の情報を前記基地局装置に通知する、
ことを特徴とする請求項６に記載の端末装置。
【請求項８】
前記第１の情報は、前記端末装置がＩＤＬＥ状態からＡＣＴＩＶＥ状態へ遷移する処理、または、前記端末装置が前記１つの他の基地局装置の識別情報を送信する処理を、前記実行すべき処理として指定する情報を含む、
ことを特徴とする請求項７に記載の端末装置。
【請求項９】
前記受信手段は、ブロードキャスト信号によって前記第１の情報を受信する、
ことを特徴とする請求項６から８のいずれか１項に記載の端末装置。
【請求項１０】
前記受信手段は、個別の制御信号によって前記第１の情報を受信する、
ことを特徴とする請求項６から８のいずれか１項に記載の端末装置。
【請求項１１】
基地局装置の制御方法であって、
通信手段が、１つ以上の他の基地局装置を少なくとも指定する第１の情報であって、前記第１の情報によって指定された前記他の基地局装置のうちの１つの他の基地局装置が供するエリアにＩＤＬＥ状態の端末装置が進入した際に、当該１つの他の基地局装置に関する第２の情報を前記基地局装置に通知させる前記第１の情報を端末装置に送信し、前記第２の情報を前記端末装置から受信する通信工程と、
制御手段が、前記端末装置から前記第２の情報を受信したことに少なくとも基づいて、前記第２の情報で通知された他の基地局装置をセカンダリ基地局として前記端末装置との接続を確立させるためのマスタ基地局としての制御を実行する制御工程と、
を有することを特徴とする制御方法。
【請求項１２】
端末装置の制御方法であって、
受信手段が、基地局装置から、１つ以上の他の基地局装置を少なくとも指定する第１の情報を受信する受信工程と、
通知手段が、前記第１の情報によって指定された前記他の基地局装置のうちの１つの他の基地局装置が供するエリアにＩＤＬＥ状態で進入した際に、当該１つの他の基地局装置に関する第２の情報を前記基地局装置に通知する通知工程と、
接続手段が、前記通知に応じた前記基地局装置のマスタ基地局としての制御により、前記第２の情報で通知した前記１つの他の基地局装置をセカンダリ基地局として、当該１つの他の基地局装置と接続する接続工程と、
を有することを特徴とする制御方法。
【請求項１３】
基地局装置に備えられたコンピュータに、
１つ以上の他の基地局装置を少なくとも指定する第１の情報であって、前記第１の情報によって指定された前記他の基地局装置のうちの１つの他の基地局装置が供するエリアにＩＤＬＥ状態の端末装置が進入した際に、当該１つの他の基地局装置に関する第２の情報を前記基地局装置に通知させる前記第１の情報を端末装置に送信させ、
前記第２の情報を前記端末装置から受信させ、
前記端末装置から前記第２の情報を受信したことに少なくとも基づいて、前記第２の情報で通知された他の基地局装置をセカンダリ基地局として前記端末装置との接続を確立させるためのマスタ基地局としての制御を実行させる、
ためのプログラム。
【請求項１４】
端末装置に備えられたコンピュータに、
基地局装置から、１つ以上の他の基地局装置を少なくとも指定する第１の情報を受信させ、
前記第１の情報によって指定された前記他の基地局装置のうちの１つの他の基地局装置が供するエリアにＩＤＬＥ状態で進入した際に、当該１つの他の基地局装置に関する第２の情報を前記基地局装置に通知させ、
前記通知に応じた前記基地局装置のマスタ基地局としての制御により、前記第２の情報で通知した前記１つの他の基地局装置をセカンダリ基地局として、当該１つの他の基地局装置と接続させる、
ためのプログラム。
【発明の詳細な説明】
【技術分野】
【０００１】
本発明は無線通信システムにおける干渉制御技術に関する。
【背景技術】
【０００２】
第３世代パートナーシッププロジェクト（３ＧＰＰ）において、第５世代（ＮＲ、Ｎｅｗ  Ｒａｄｉｏ）の通信システムの検討が行われている。特に、端末が、従来のＬＴＥ（ロングタームエボリューション）の基地局（ｅＮＢ）をマスタ基地局とし、ＮＲの基地局（ｇＮＢ）をセカンダリ基地局とするＤｕａｌ  Ｃｏｎｎｅｃｔｉｖｉｔｙの形式で接続を確立する構成の検討が進んでいる。この構成は、ｇＮＢがｅＮＢと接続していない端末と単独で接続することがないためＮＳＡ（Ｎｏｎ  Ｓｔａｎｄａｌｏｎｅ）と呼ばれる。
【先行技術文献】
【非特許文献】
【０００３】
【非特許文献１】３ＧＰＰ、ＲＰ−１７１４８５
【発明の概要】
【発明が解決しようとする課題】
【０００４】
ＮＲは、例えば特定の施設の入退場のタッチレス化などの用途で使用されることが検討されており、このような場合、端末が特定のｇＮＢのエリアに進入した際に、直ちにそのｇＮＢと端末との間の接続を確立する必要がある。しかしながら、このような接続の確立は、マスタ基地局であるｅＮＢが主導して行う必要があるが、ｅＮＢは、ＩＤＬＥ状態の端末がｇＮＢのエリアに進入したことを認知することができず、接続を直ちに確立することができないことが想定される。
【０００５】
本発明はかかる課題に鑑みなされたものであり、ＩＤＬＥ状態の端末が特定の基地局のエリアに進入した際に高速にその端末と基地局との接続を確立させるための技術を提供することを目的とする。
【課題を解決するための手段】
【０００６】
本発明の一態様による基地局装置は、１つ以上の他の基地局装置を少なくとも指定する第１の情報であって、前記第１の情報によって指定された前記他の基地局装置のうちの１つの他の基地局装置が供するエリアにＩＤＬＥ状態の端末装置が進入した際に、当該１つの他の基地局装置に関する第２の情報を前記基地局装置に通知させる前記第１の情報を端末装置に送信し、前記第２の情報を前記端末装置から受信する通信手段と、前記端末装置から前記第２の情報を受信したことに少なくとも基づいて、前記第２の情報で通知された他の基地局装置をセカンダリ基地局として前記端末装置との接続を確立させるためのマスタ基地局としての制御を実行する制御手段と、を有する。
【０００７】
また、本発明の一態様による端末装置は、基地局装置から、１つ以上の他の基地局装置を少なくとも指定する第１の情報を受信する受信手段と、前記第１の情報によって指定された前記他の基地局装置のうちの１つの他の基地局装置が供するエリアにＩＤＬＥ状態で進入した際に、当該１つの他の基地局装置に関する第２の情報を前記基地局装置に通知する通知手段と、前記通知に応じた前記基地局装置のマスタ基地局としての制御により、前記第２の情報で通知した前記１つの他の基地局装置をセカンダリ基地局として、当該１つの他の基地局装置と接続する接続手段と、を有する。
【発明の効果】
【０００８】
本発明によれば、ＩＤＬＥ状態の端末が特定の基地局のエリアに進入した際に高速にその端末と基地局との接続を確立させることができる。
【図面の簡単な説明】
【０００９】
【図１】無線通信システムの構成例を示す図。
【図２】装置のハードウェア構成例を示す図。
【図３】基地局装置の機能構成例を示すブロック図。
【図４】端末装置の機能構成例を示すブロック図。
【図５】無線通信システムで実行される処理の流れの例を示すシーケンス図。
【発明を実施するための形態】
【００１０】
以下、図面を参照しながら、本発明の実施の形態について説明する。
【００１１】
（システム構成）
図１に本実施形態に係る無線通信システムの構成例を示す。本無線通信システムは、ロングタームエボリューション（ＬＴＥ）の基地局装置（ｅＮＢ１０１）と、次世代通信規格（Ｎｅｗ  Ｒａｄｉｏ、ＮＲ）の基地局装置（ｇＮＢ１０２及びｇＮＢ１０３）とを含んで構成される。端末装置（ＵＥ１０４）は、移動可能な無線通信端末である。本実施形態では、ｇＮＢ１０２及びｇＮＢ１０３は、単独で通信サービスを提供せず、ｅＮＢ１０１と接続を確立しているＵＥ１０４に対して、ｅＮＢ１０１の制御の下で通信サービスを提供することができる。なお、ｅＮＢ１０１は、ＵＥ１０４がＩＤＬＥ状態ではなく、ＡＣＴＩＶＥ状態である場合に、ｅＮＢ１０１をマスタ基地局とし、ｇＮＢ１０２又はｇＮＢ１０３をセカンダリ基地局とし、Ｄｕａｌ  Ｃｏｎｎｅｃｔｉｖｉｔｙの形式で接続を確立させることができる。
【００１２】
ここで、例えば施設への入退場のタッチレス化等の局所的なサービスのために、ＵＥ１０４が特定のｇＮＢ１０２のエリアに進入した際に、ＵＥ１０４が直ちにそのｇＮＢ１０２との間で接続を確立する必要があるものとする。ここで、ｅＮＢ１０１は、ＵＥ１０４がｇＮＢ１０２のサービスエリアに進入したことを検出すると、それに応じて、ＵＥ１０４とｇＮＢ１０２との間の接続を確立させることができる。ｅＮＢ１０１は、ＵＥ１０４がＡＣＴＩＶＥ状態である場合には、ＵＥ１０４からＭｅａｓｕｒｅｍｅｎｔ  Ｒｅｐｏｒｔ（ＭＲ）を受信することができるため、ＵＥ１０４がｇＮＢ１０２のサービスエリア内に進入したことを検出することができる。一方、ｅＮＢ１０１は、ＵＥ１０４がＩＤＬＥ状態である場合には、ＵＥ１０４からＭＲ等の通知を受信することができないため、ＵＥ１０４がｇＮＢ１０２のサービスエリア内に進入したことを検出することができない。この結果、ｅＮＢ１０１は、ＩＤＬＥ状態のＵＥ１０４がｇＮＢ１０２のサービスエリア内に進入した場合には、ＵＥ１０４とｇＮＢ１０２との間の接続を確立させることができない。
【００１３】
これに対して、ＵＥ１０４がいずれかのｇＮＢのサービスエリア内に進入したことに応じてＡＣＴＩＶＥ状態に遷移して、ＭＲをｅＮＢ１０１へと送信するようにすることにより、ｅＮＢ１０１が、ＵＥ１０４とそのｇＮＢとの間の接続を確立させることができる。しかしながら、この場合、ＵＥ１０４は、接続する必要のあるｇＮＢ１０２のみならず、接続する必要のないｇＮＢ１０３のサービスエリアに進入した場合であっても、ＩＤＬＥ状態からＡＣＴＩＶＥ状態に遷移してしまう。この結果、ＵＥ１０４の消費電力が増加することや、不必要なＭＲ関連のシグナリングによる無線リソースの浪費が発生してしまいうる。このため、本実施形態では、ｅＮＢ１０１が、このような消費電力の増加や無線リソースの浪費なく、ＵＥ１０４が直ちに接続を確立する対象となりうるｇＮＢ１０２のサービスエリアにＩＤＬＥ状態のＵＥ１０４が進入したことを検出可能とする。
【００１４】
一例において、ｅＮＢ１０１は、ＵＥ１０４に対して、進入した際に直ちに接続が確立されるべき１つ以上のｇＮＢ（ｇＮＢ１０２）を指定する第１の情報を通知する。なお、ｇＮＢ（少なくとも直ちに接続が確立されるべきｇＮＢ）は、例えば、Ｒａｄｉｏ  Ｆｒａｍｅ  ＴｉｍｉｎｇやＳｙｓｔｅｍ  Ｆｒａｍｅ  Ｎｕｍｂｅｒ（ＳＦＮ）の報知と併せて、又はこれとは別に、自身を特定可能な情報（ｇＮＢ  ＩＤ等）を報知しうる。ＵＥ１０４は、この報知情報を受信することによって、周囲に存在するｇＮＢのＩＤを特定することができる。ここで、第１の情報は、例えば、指定したｇＮＢのサービスエリア内にＩＤＬＥ状態で進入したＵＥ１０４をＡＣＴＩＶＥ状態に遷移させるための情報でありうる。ＵＥ１０４は、ＡＣＴＩＶＥ状態に遷移することによって、進入したサービスエリアを提供するｇＮＢに関して無線品質を測定し、その測定結果とそのｇＮＢの識別情報を含んだＭＲをｅＮＢ１０１へ通知することとなる。なお、第１の情報は、例えば、指定したｇＮＢのサービスエリア内にＩＤＬＥ状態で進入したＵＥ１０４に、そのｇＮＢのＩＤ等の識別情報を（例えばＡＣＴＩＶＥ化することなく）通知させる情報であってもよい。ＵＥ１０４は、ＩＤＬＥ状態において指定されたｇＮＢを上述の報知信号によって検出すると、その報知信号に含まれるｇＮＢのＩＤを、ｅＮＢ１０１へと通知する。このとき、ＵＥ１０４は、例えば、新たに少量のデータを送信することができるＲＲＣ_ＩＮＡＣＴＩＶＥ状態へと遷移して、ｇＮＢのＩＤに関する通知を行う。ＵＥ１０４がＡＣＴＩＶＥ状態に遷移せずにｇＮＢのＩＤを通知することで、例えばｅＮＢ１０１は、通知されたｇＮＢが混雑している場合等にＵＥ１０４との接続を確立させず、ＵＥ１０４をそのまま非ＡＣＴＩＶＥ状態に滞在させることができる。これにより、ＵＥ１０４が不必要にＡＣＴＩＶＥ状態に遷移しなくなるため、ＵＥ１０４の消費電力を低減することが可能となる。また、ＵＥ１０４は、ＡＣＴＩＶＥ状態へと遷移して、ｇＮＢのＩＤに関する通知を行ってもよい。いずれの場合も、ＵＥ１０４は、第１の情報の通知を受信すると、その第１の情報によって指定された１つ以上のｇＮＢのうちの１つのサービスエリアにＩＤＬＥ状態で進入した場合に、その１つのｇＮＢに関する第２の情報をｅＮＢ１０１へと通知する。
【００１５】
このように、ｅＮＢ１０１は、指定したｇＮＢ（ｇＮＢ１０２）のサービスエリアにＵＥ１０４が進入したことを、第２の情報を受信することによって検出することができる。そして、ｅＮＢ１０１は、この第２の情報を受信したことに少なくとも基づいて、ＵＥ１０４によって通知されたｇＮＢ１０２とＵＥ１０４との接続を確立させるための制御を実行する。例えば、ｅＮＢ１０１は、自装置をマスタ基地局とすると共に、ｇＮＢ１０２をセカンダリ基地局として、Ｄｕａｌ  Ｃｏｎｎｅｃｔｉｖｉｔｙの仕組みを利用したＵＥ１０４との接続を確立する制御を実行する。なお、ｅＮＢ１０１は、他の制御によって、ＵＥ１０４とｇＮＢ１０２との接続を確立させてもよい。
【００１６】
また、ｅＮＢ１０１は、第２の情報を受信したことに応じて、必ずｇＮＢ１０２とＵＥ１０４との間の接続を確立させなければならないわけではない。例えば、ｅＮＢ１０１は、ＵＥ１０４から受信した第２の情報において示されるｇＮＢのサービスエリアに多数の他のＵＥが存在する場合は、そのＵＥ１０４と第２の情報で示されたｇＮＢとの接続を確立させなくてもよい。これにより、ｅＮＢ１０１は、例えばＵＥ１０４から他のｇＮＢに関する第２の情報を受信することを待ち受け、ＵＥ１０４をそのｇＮＢと接続させるようにしてもよい。このような処理によれば、例えば、施設のタッチレス入退場システムにおいて通路に沿って複数のｇＮＢを存在した場合に、その施設に来場する多数のＵＥを、複数のｇＮＢに分散させて接続させることができるようになる。また、ｅＮＢ１０１は、同じｇＮＢに関する第２の情報を所定数回受信した場合に、そのｇＮＢとＵＥ１０４との接続を確立させるための制御を実行してもよい。これによれば、あるエリアに長期間滞在中のＵＥ１０４については、そのエリアが混雑している場合であっても、そのエリアを提供するｇＮＢとの接続を確立させることができ、一方でエリアを通過するＵＥについては接続を確立させないようにすることができる。
【００１７】
なお、第１の情報には、第２の情報の送信のためにＵＥ１０４が実行すべき処理（例えば、上述のＡＣＴＩＶＥ状態への遷移や、ｇＮＢのＩＤの通知）を指定する情報が含められてもよい。ただし、第２の情報の送信のためにＵＥ１０４が実行すべき処理が一意に定まっている場合は、このような処理の指定は省略されうる。すなわち、第１の情報は、複数のｇＮＢのうち、ＩＤＬＥ状態でＵＥ１０４がそのサービスエリアに進入した場合に識別情報等の情報の通知を行うべき１つ以上のｇＮＢを指定する情報のみを含んでもよい。
【００１８】
なお、第１の情報は、ブロードキャスト信号（例えばＳｙｓｔｅｍ  Ｉｎｆｏｒｍａｔｉｏｎ  Ｂｌｏｃｋ（ＳＩＢ））によって、ｅＮＢ１０１のサービスエリア内の各ＵＥ１０４に対して一斉に通知されうる。これによれば、高い無線リソースの利用効率で、多数のＵＥ１０４に対して、第１の情報を通知することができる。また、第１の情報は、例えばＲＲＣシグナリング等の個別シグナリング（個別の制御信号）によって、各ＵＥに（各ＵＥがＡＣＴＩＶＥ状態である間に）個別に通知されてもよい。これによれば、ｅＮＢ１０１は、きめ細やかな制御を行うことがで、例えばＵＥごとに第２の情報を送信するトリガを与えるｇＮＢを特定することができる。これによれば、互いに近傍に存在する複数のｇＮＢのうち、一部のｇＮＢにのみ負荷が集中することをあらかじめ防ぐことが可能となる。なお、この場合、ＵＥ１０４が、第１の情報を取得した後に、ＩＤＬＥ状態となって他のｅＮＢのサービスエリアに移動することがありうる。このため、ｅＮＢ１０１は、自装置が属するＴＡ（Ｔｒａｃｋｉｎｇ  Ａｒｅａ）に存在するｇＮＢについての第１の情報を通知してもよい。すなわち、ＵＥ１０４は、ＴＡを跨いで移動する場合は、一度ＡＣＴＩＶＥ状態へと遷移してｅＮＢと通信を行う。このため、ＴＡごとの第１の情報がＵＥ１０４に通知されることで、ＵＥ１０４は、直ちに接続を確立する必要のあるｇＮＢのサービスエリア内に進入したことに応じて、上述の第２の情報を送信することができるようになる。なお、この場合、例えば所定の施設周辺の領域をサービスエリアとするｅＮＢは、他の領域をサービスエリアとするｅＮＢとは異なるＴＡＣ（ＴＡ  Ｃｏｄｅ）を用いうる。これにより、第１の情報によって一度に通知されるｇＮＢの情報を削減することができる。すなわち、通知されるべきｇＮＢが疎に分布する地域については、多数のｅＮＢのサービスエリア内のｇＮＢに関する第１の情報をまとめて通知し、そのようなｇＮＢが密に分布する地域については個別に第１の情報をまとめて通知するようにＴＡが設定されうる。これにより、第１の情報の情報量の増大を抑制し、かつ、ＵＥがＩＤＬＥ状態のまま移動する場合においてもきめ細かい制御を行うことが可能となる。
【００１９】
以下では、このような処理を実行する基地局装置（ｅＮＢ、ｇＮＢ）、及び端末装置（ＵＥ）の構成及びこれらの装置が実行する処理の流れの例について説明する。
【００２０】
（ハードウェア構成）
図２に、基地局装置及び端末装置のハードウェア構成例を示す。基地局装置及び端末装置は、一例において、図２に示すようなハードウェア構成を有し、例えば、ＣＰＵ２０１、ＲＯＭ２０２、ＲＡＭ２０３、外部記憶装置２０４、及び通信回路２０５を有する。基地局装置及び端末装置では、例えばＲＯＭ２０２、ＲＡＭ２０３及び外部記憶装置２０４のいずれかに記録された、上述のような基地局装置及び端末装置の各機能を実現するプログラムがＣＰＵ２０１により実行される。
【００２１】
そして、基地局装置及び端末装置は、例えばＣＰＵ２０１により通信回路２０５を制御して、他の装置と通信を行う。なお、基地局装置の通信回路２０５は、例えば、有線回線を通じて、他の基地局装置と通信を行うことができる。また、基地局装置の通信回路２０５は、１つ以上（複数）のビームを形成して端末装置との間で無線通信することが可能でありうる。また、この場合、端末装置の通信回路２０５は、基地局装置の通信回路２０５によって形成されたビームのうちの少なくともいずれかと接続可能に構成され、これらのビームを用いて基地局装置と無線通信することができるように構成される。なお、図２の構成において、基地局装置及び端末装置は、１つの通信回路２０５を有するような概略図を示しているが、これに限られず、複数の通信回路を有してもよい。例えば、基地局装置は、他の基地局装置との有線通信のための第１の通信回路と、端末装置との無線通信のための第２の通信回路とを有しうる。また、端末装置は、例えばＬＴＥ用の第１の通信回路と、ＮＲ用の第２の通信回路とを有してもよい。また、端末装置は、例えば無線ＬＡＮ等のセルラ以外の規格に関する無線通信回路を有してもよいし、さらに、例えばＵＳＢ接続等による有線接続時に用いられる有線通信回路を有してもよい。
【００２２】
なお、基地局装置及び端末装置は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００２３】
（機能構成）
図３は、本実施形態に係るｅＮＢ１０１の機能構成例を示す図である。ｅＮＢ１０１は、その機能の一例において、通信部３０１、情報生成部３０２、及び制御部３０３を有する。なお、この機能構成例は一例であり、ｅＮＢ１０１は、一般的なＬＴＥ基地局装置としての図示していない機能を当然に有し、また、さらなる機能を有してもよい。通信部３０１は、ＵＥ１０４との無線通信や、ｇＮＢ１０２及びｇＮＢ１０３との間の有線又は無線通信を行う。情報生成部３０２は、ＵＥ１０４が直ちに接続を確立すべきｇＮＢ（ｇＮＢ１０２）を指定する第１の情報を生成する。制御部３０３は、マスタ基地局装置として動作して、ｇＮＢ１０２又はｇＮＢ１０３をセカンダリ基地局装置とするＤｕａｌ  Ｃｏｎｎｅｃｔｉｖｉｔｙベースの接続をＵＥ１０４との間で確立させるための制御を実行する。
【００２４】
ｅＮＢ１０１は、例えば、通信部３０１を介して、ＳＩＢ等のブロードキャスト信号により、又はＲＲＣシグナリング等の個別シグナリング（個別の制御信号）により、情報生成部３０２によって生成された第１の情報をＵＥ１０４に対して送信する。その後、ｅＮＢ１０１は、（例えばＩＤＬＥ状態の）ＵＥ１０４が第１の情報によって指定されたｇＮＢのサービスエリアに進入したことに応じてＵＥ１０４から送信された第２の情報を、通信部３０１を介して受信する。ｅＮＢ１０１は、第２の情報を受信すると、制御部３０３によって、その第２の情報で示されているｇＮＢとＵＥ１０４との接続を確立させる。例えば、ｅＮＢ１０１は、Ｄｕａｌ  Ｃｏｎｎｅｃｔｉｖｉｔｙの接続シーケンスに基づいて、接続対象のｇＮＢ及びＵＥ１０４との間で所定の通信を行い、セカンダリ基地局装置の追加処理を実行する。なお、この追加処理については、３ＧＰＰにおいて規定されている処理シーケンスに沿って実行可能であるため、処理の詳細の説明については省略する。
【００２５】
なお、ｇＮＢ１０２及びｇＮＢ１０３は、図示はしないが、例えば、一般的なＮＲの基地局装置としての機能を有する。ただし、ｇＮＢ１０２及びｇＮＢ１０３は、ＩＤＬＥ状態のＵＥ１０４に対して、自装置のＩＤ等の識別情報を通知するための信号を送信可能に構成される。例えば、ｇＮＢ１０２及びｇＮＢ１０３は、Ｒａｄｉｏ  Ｆｒａｍｅ  ＴｉｍｉｎｇやＳｙｓｔｅｍ  Ｆｒａｍｅ  Ｎｕｍｂｅｒ（ＳＦＮ）の報知と共に、又はそれとは別個に、自装置の識別情報を送出することができる。
【００２６】
図４は、本実施形態に係るＵＥ１０４の機能構成例を示す図である。ＵＥ１０４は、その機能の一例において、通信部４０１、情報取得部４０２、検出部４０３、及び通知処理部４０４を有する。なお、この機能構成例は一例であり、ＵＥ１０４は、一般的なＬＴＥ及びＮＲに準拠した端末装置としての図示していない機能を当然に有し、また、さらなる機能を有してもよい。
【００２７】
通信部４０１は、ｅＮＢ１０１又はｇＮＢ１０２もしくはｇＮＢ１０３と無線通信を行う。情報取得部４０２は、ｅＮＢ１０１から送信された第１の情報を通信部４０１を介して取得し、例えば、第１の情報において指定されている１つ以上のｇＮＢの情報を検出部４０３に設定する。また、情報取得部４０２は、第１の情報によって、ＵＥ１０４がＩＤＬＥ状態で指定されたｇＮＢを検出した際に実行すべき処理（例えばＡＣＴＩＶＥ状態へ遷移することや、検出したｇＮＢの通知）が指定されている場合、その処理を通知処理部４０４に設定する。なお、実行すべき処理が一意に定まっている場合は、通知処理部４０４に対する設定は行われなくてもよい。検出部４０３は、通信部４０１を通じて不図示のアンテナに到来する電波を監視し、第１の情報によって指定されたｇＮＢからの信号を受信したか、すなわち、そのようなｇＮＢのサービスエリア内にＵＥ１０４が進入したか否かを判定する。なお、検出部４０３は、ＵＥ１０４がＡＣＴＩＶＥ状態で動作している場合は、第１の情報によらず、近傍に存在する基地局装置を検出する。
【００２８】
ＵＥ１０４がＡＣＴＩＶＥ状態で動作している場合に検出部４０３がｇＮＢ（例えばｇＮＢ１０２又はｇＮＢ１０３）や他のｅＮＢを検出すると、通信部４０１は、ｅＮＢ１０１に対して無線品質の測定報告（ＭＲ）を送信する。この場合、ｅＮＢ１０１は、このＭＲに基づいてＵＥ１０４とｇＮＢとの間のＤｕａｌ  Ｃｏｎｎｅｃｔｉｖｉｔｙに基づく接続を確立させうる。これによれば、ＵＥ１０４は、例えば、第１の情報によって指定されていないｇＮＢ（例えばｇＮＢ１０３）との接続によって高速大容量の通信を行うことができるようになる。
【００２９】
一方、ＵＥ１０４が非ＡＣＴＩＶＥ状態の間に検出部４０３が第１の情報によって指定されたｇＮＢを検出すると、通知処理部４０４が、その検出されたｇＮＢに関する情報（例えば識別情報）をｅＮＢ１０１へ通知するための処理を実行する。通知処理部４０４は、例えば、ＵＥ１０４をＡＣＴＩＶＥ状態に遷移させる。この場合、ＵＥ１０４は、ＡＣＴＩＶＥ状態に遷移した後に、第１の情報によって指定されたｇＮＢの無線品質に関する測定報告（ＭＲ）をｅＮＢ１０１に送信することとなる。また、通知処理部４０４は、例えば、ＡＣＴＩＶＥ状態に遷移しないまま（例えばＲＲＣ＿ＩＮＡＣＴＩＶＥ状態等に遷移して）、ｇＮＢの情報をｅＮＢ１０１へ通知する処理を実行しうる。なお、ｇＮＢに関する情報は、ＩＤ等のｇＮＢを一意に特定可能な情報のみならず、例えば、複数のｇＮＢに対してまとめて割り振られたグループ番号等の情報であってもよい。
【００３０】
（処理の流れ）
続いて、図５を用いて、本実施形態に係る無線通信システムで実行される処理の流れについて説明する。なお、図５の処理において、ＵＥ１０４は、特に言及のない限り、ＩＤＬＥ状態であるものとする。本処理では、まず、ｅＮＢ１０１が、自装置のサービスエリア内に存在するＵＥ１０４に対して、ＩＤＬＥ状態でサービスエリア内に進入した場合に通知すべきｇＮＢ（通知対象ｇＮＢ）に関する情報を含んだ第１の情報を送信する（Ｓ５０１）。図５の例では、第１の情報によってｇＮＢ１０２が通知対象ｇＮＢとして指定され、ｇＮＢ１０３は指定されていないものとする。なお、第１の情報の送信は、一例において、ＳＩＢ等のブロードキャスト信号によって行われてもよいし、ＵＥ１０４がＡＣＴＩＶＥ状態で行われるＲＲＣシグナリング等の個別シグナリングによって行われてもよい。また、第１の情報は、ＵＥ１０４が、通知対象ｇＮＢのサービスエリアに進入した場合に、そのｇＮＢに関する情報の通知のために実行すべき処理を指定する情報を含んでもよい。実行すべき処理は、例えば、ＩＤＬＥ状態からＡＣＴＩＶＥ状態へと遷移する処理や、ＡＣＴＩＶＥ状態に遷移しないままｇＮＢ  ＩＤを通知する処理を含む。
【００３１】
ＵＥ１０４は、第１の情報を受信すると、通知対象ｇＮＢのサービスエリア内に進入しているか否かの監視を開始する。この状態において、ＵＥ１０４は、例えばｇＮＢ１０３のサービスエリア内に進入したものとする。この場合、ＵＥ１０４は、例えば、ｇＮＢ１０３の識別情報（ｇＮＢ  ＩＤ）を含んだ信号を受信しうる（Ｓ５０２）。なお、この信号は、一例として、Ｒａｄｉｏ  Ｆｒａｍｅ  Ｔｉｍｉｎｇ及びＳｙｓｔｅｍ  Ｆｒａｍｅ  Ｎｕｍｂｅｒと共に送信されるものとする。ＵＥ１０４は、この信号を受信すると、例えば、そのｇＮＢ  ＩＤが、第１の情報によって取得した通知対象ｇＮＢのｇＮＢ  ＩＤと一致するかを判定する。この場合、ｇＮＢ１０３は通知対象ｇＮＢではないため、ＵＥ１０４は、ｅＮＢ１０１への通知を行わない。
【００３２】
その後、ＵＥ１０４が、移動して、ｇＮＢ１０２のサービスエリア内に進入したものとする。この場合、ＵＥ１０４は、例えば、ｇＮＢ１０２の識別情報（ｇＮＢ  ＩＤ）を含んだ信号を受信しうる（Ｓ５０３）。この場合、ｇＮＢ１０２が通知対象ｇＮＢであるため、ＵＥ１０４は、ｅＮＢ１０１に対して、このｇＮＢ１０２に関する情報の通知処理を実行する（Ｓ５０４）。例えば、ＵＥ１０４はＡＣＴＩＶＥ状態に遷移して、ＭＲをｅＮＢ１０１へ送信する。また、ＵＥ１０４は、例えばＡＣＴＩＶＥ状態に遷移しないまま、ｇＮＢ  ＩＤ等の情報をｅＮＢ１０１へと通知する。これにより、ｅＮＢ１０１は、ＵＥ１０４が直ちに接続を確立すべきｇＮＢのサービスエリア内に進入したことを検知し、ＵＥ１０４とｇＮＢ１０２との間でＤｕａｌ  Ｃｏｎｎｅｃｔｉｖｉｔｙベースの接続を確立させ、通信サービスを提供させる（Ｓ５０５）。なお、Ｓ５０５の処理は、既存のＤｕａｌ  Ｃｏｎｎｅｃｔｉｖｉｔｙでの接続確立処理と同様にして実行されるため、ここでの詳細な説明については省略する。
【００３３】
このように、ｅＮＢ１０１は、ＩＤＬＥ状態で所定のｇＮＢ（ｇＮＢ１０２）のサービスエリア内に進入したＵＥ１０４に、そのｇＮＢに関する情報の通知を行わせる。これにより、ｅＮＢ１０１は、ＵＥ１０４がｇＮＢと接続を確立すべきエリアに進入したことを認識することができ、直ちにそのｇＮＢとＵＥ１０４との間の接続を確立させるための制御を実行することができる。
【００３４】
なお、上述のシステムや用語は一例であり、本発明を限定するものではない。例えば、ＬＴＥのｅＮＢがマスタ基地局として動作し、ＮＲのｇＮＢがセカンダリ基地局として動作して、ＵＥとｇＮＢとの間の接続を確立する処理について説明したが、これに限られず、ＬＴＥやＮＲ以外のシステムにおいて、本発明が適用されてもよい。また、ｇＮＢとＵＥとの間の接続は、Ｄｕａｌ  Ｃｏｎｎｅｃｔｉｖｉｔｙに基づいて行われなくてもよく、任意の接続処理が実行されうる。
【図１】
2019096998.tif 000003
【図２】
2019096998.tif 000004
【図３】
2019096998.tif 000005
【図４】
2019096998.tif 000006
【図５】
2019096998.tif 000007